(57)【特許請求の範囲】
【請求項１】
複数の画素を備えた表示パネルと、
前記画素にスキャン信号を供給するスキャン駆動部と、
前記画素にデータ信号を供給するデータ駆動部と、
前記画素の累積駆動時間と効率値との関係を示す効率カーブを格納するルックアップテーブル（look-up table）と、
前記画素の劣化データが累積されて格納され、前記ルックアップテーブルから前記画素の前記効率値を導出するための効率転換領域を含む寿命レジスタと、
前記寿命レジスタから前記累積駆動時間を導出し、前記累積駆動時間に基づいて前記効率転換領域及び前記ルックアップテーブルを更新し、前記効率転換領域及び前記ルックアップテーブルを用いて入力映像データを出力映像データに変換し、前記出力映像データに相応する制御信号を前記スキャン駆動部及び前記データ駆動部に供給する制御部と、を備え、
前記制御部は、
前記入力映像データに基づいて前記寿命レジスタに前記劣化データを累積して格納する劣化データ制御部と、
前記累積駆動時間に基づいて更新信号を生成する更新信号生成部と、
前記更新信号に応答して、前記累積駆動時間が増加するほど効率転換周期が長くなるように前記効率転換領域及び前記ルックアップテーブルを更新する補償基準更新部と、
前記効率転換領域及び前記ルックアップテーブルを用いて前記画素の前記効率値を導出する効率値導出部と、
前記効率値を用いて前記入力映像データを前記出力映像データに変換する劣化補償部と、を含むことを特徴とする、有機発光表示装置。
【請求項２】
前記更新信号生成部は、前記寿命レジスタに含まれた監視ビット（bit）の値が変更される場合、前記更新信号を生成することを特徴とする、請求項１に記載の有機発光表示装置。
【請求項３】
前記監視ビットは１ビットに設定され、前記監視ビットの値が変更される場合、前記監視ビットは１ビット移動することを特徴とする、請求項２に記載の有機発光表示装置。
【請求項４】
前記監視ビットは２ビット以上に設定されることを特徴とする、請求項２に記載の有機発光表示装置。
【請求項５】
前記補償基準更新部は、前記更新信号に応答して前記効率転換領域を１ビット移動させることを特徴とする、請求項１に記載の有機発光表示装置。
【請求項６】
前記補償基準更新部は、前記更新信号に応答して不揮発性メモリ装置から前記効率転換領域に相応する前記効率カーブを前記ルックアップテーブルにローディングすることを特徴とする、請求項１に記載の有機発光表示装置。
【請求項７】
前記制御部は、
前記効率転換領域に相応して前記効率カーブをスケーリング（scaling）する効率カーブ調整部をさらに含み、
前記補償基準更新部は、前記更新信号に応答して前記スケーリングされた効率カーブで前記ルックアップテーブルを更新することを特徴とする、請求項１に記載の有機発光表示装置。
【請求項８】
前記効率カーブ調整部は、前記更新信号に応答して前記効率転換周期が２倍になるように前記効率カーブをスケーリングすることを特徴とする、請求項７に記載の有機発光表示装置。
【請求項９】
前記補償基準更新部は、ＭＣＵ（micro control unit）であることを特徴とする、請求項１に記載の有機発光表示装置。
【発明の詳細な説明】
【技術分野】
【０００１】
本発明は表示装置に関し、より詳しくは、有機発光表示装置及び有機発光表示装置の駆動方法に関する。
【背景技術】
【０００２】
有機発光ダイオードは、正極から提供される正孔及び負極から提供される電子が正極及び負極の間の発光層で結合して発光する。有機発光ダイオードを使用すれば、視野角が広く、応答速度が速く、厚さが薄く、電力消耗が低い表示装置を具現することができる。
【０００３】
一般に、有機発光ダイオードを含む有機発光表示装置は時間が経過するにつれて、駆動時間及び駆動電流量に相応して画素の劣化現象が発生する。画素が劣化する場合、画素の輝度が低下して表示品質が低くなるか、または画面残像が発生することがある。
【０００４】
画素の劣化を補償することによって、表示品質を高めるために画素の使用時間に基づいて劣化補償量を決定する方法など、多様な劣化補償方法が開発されている。しかしながら、劣化補償方法は限定されたリソース（例えば、レジスタの容量、ルックアップテーブルのメモリ容量など）を使用するので、初期劣化に対する正確な補償の遂行が困難であるか、または寿命保証時間が限定的であるという問題点が存在する。
【発明の概要】
【発明が解決しようとする課題】
【０００５】
本発明の一目的は、初期劣化に対する正確な補償を遂行し、寿命保証時間を十分に確保することができる有機発光表示装置を提供することにある。
【０００６】
本発明の他の目的は、初期残像を防止し、長時間の間高い表示品質を維持することができる有機発光表示装置の駆動方法を提供することにある。
【０００７】
但し、本発明の目的は前記目的に限定されるものではなく、本発明の思想及び領域から逸脱しない範囲で多様に拡張できる。
【課題を解決するための手段】
【０００８】
本発明の一目的を達成するために、本発明の実施形態に係る有機発光表示装置は、複数の画素を備えた表示パネル、前記画素にスキャン信号を供給するスキャン駆動部、前記画素にデータ信号を供給するデータ駆動部、前記画素の累積駆動時間と効率値との関係を示す効率カーブを格納するルックアップテーブル（look-up table）、前記画素の劣化データが累積されて格納され、前記ルックアップテーブルから前記画素の前記効率値を導出するための効率転換領域を含む寿命レジスタ、及び前記寿命レジスタから前記累積駆動時間を導出し、前記累積駆動時間に基づいて前記効率転換領域及び前記ルックアップテーブルを更新し、前記効率転換領域及び前記ルックアップテーブルを用いて入力映像データを出力映像データに変換し、前記出力映像データに相応する制御信号を前記スキャン駆動部及び前記データ駆動部に供給する制御部を含むことができる。
【０００９】
一実施形態によれば、前記制御部は前記入力映像データに基づいて前記寿命レジスタに前記劣化データを累積して格納する劣化データ制御部、前記累積駆動時間に基づいて更新信号を生成する更新信号生成部、前記更新信号に応答して前記累積駆動時間が増加するほど効率転換周期が長くなるように前記効率転換領域及び前記ルックアップテーブルを更新する補償基準更新部、前記効率転換領域及び前記ルックアップテーブルを用いて前記画素の前記効率値を導出する効率値導出部、及び前記効率値を用いて前記入力映像データを前記出力映像データに変換する劣化補償部を含むことができる。
【００１０】
一実施形態によれば、前記更新信号生成部は前記寿命レジスタに含まれた監視ビット（bit）の値が変更される場合、前記更新信号を生成することができる。
【００１１】
一実施形態によれば、前記監視ビットは１ビットに設定され、前記監視ビットの値が変更される場合、前記監視ビットは１ビット移動できる。
【００１２】
一実施形態によれば、前記監視ビットは２ビット以上に設定できる。
【００１３】
一実施形態によれば、前記補償基準更新部は前記更新信号に応答して前記効率転換領域を１ビット移動させることができる。
【００１４】
一実施形態によれば、前記補償基準更新部は前記更新信号に応答して不揮発性メモリ装置から前記効率転換領域に相応する前記効率カーブを前記ルックアップテーブルにローディングすることができる。
【００１５】
一実施形態によれば、前記制御部は前記効率転換領域に相応して前記効率カーブをスケーリング（scaling）する効率カーブ調整部をさらに含み、前記補償基準更新部は前記更新信号に応答して前記スケーリングされた効率カーブで前記ルックアップテーブルを更新することができる。
【００１６】
一実施形態によれば、前記効率カーブ調整部は前記更新信号に応答して前記効率転換周期が２倍になるように前記効率カーブをスケーリングすることができる。
【００１７】
一実施形態によれば、前記補償基準更新部はＭＣＵ（micro control unit）でありうる。
【００１８】
一実施形態によれば、前記効率値導出部は前記効率転換領域の値を前記ルックアップテーブルのインデックス（index）値に用いて前記ルックアップテーブルから前記効率値を導出することができる。
【００１９】
一実施形態によれば、前記劣化補償部は前記効率値を用いて前記画素に対する補償加重値を導出し、前記入力映像データと前記補償加重値とを掛けて前記出力映像データを生成することができる。
【００２０】
一実施形態によれば、前記劣化データ制御部は周期的に前記寿命レジスタに格納された前記劣化データを不揮発性メモリ装置に格納することができる。
【００２１】
一実施形態によれば、前記劣化データ制御部は予め指定された時間に前記寿命レジスタに格納された前記劣化データを不揮発性メモリ装置に格納することができる。
【００２２】
一実施形態によれば、前記劣化データは前記寿命レジスタに画素単位で格納できる。
【００２３】
一実施形態によれば、前記劣化データは前記寿命レジスタに画素ブロック単位で格納できる。
【００２４】
本発明の他の目的を達成するために、発明の実施形態に係る有機発光表示装置の駆動方法は、入力映像データに基づいて寿命レジスタに画素の劣化データを累積して格納するステップ、前記寿命レジスタから前記画素の累積駆動時間を導出し、前記累積駆動時間に基づいて更新信号を生成するステップ、前記更新信号に応答して前記累積駆動時間が増加するほど効率転換周期が長くなるように前記寿命レジスタの効率転換領域及び前記累積駆動時間に従う効率カーブを格納するルックアップテーブルを更新するステップ、前記効率転換領域の値を前記ルックアップテーブルのインデックス値に用いて前記ルックアップテーブルから前記効率値を導出するステップ、前記効率値を用いて前記入力映像データを出力映像データに変換するステップ、及び前記出力映像データを用いて映像を表示するステップを含むことができる。
【００２５】
一実施形態によれば、前記更新信号を生成するステップは、前記寿命レジスタに含まれた監視ビットの値が変更される場合、前記更新信号を生成することができる。
【００２６】
一実施形態によれば、前記効率転換領域を更新するステップは、前記更新信号に応答して前記効率転換領域を１ビット移動させることができる。
【００２７】
一実施形態によれば、前記ルックアップテーブルを更新するステップは、前記更新信号に応答して不揮発性メモリ装置から前記効率転換領域に相応する前記効率カーブを前記ルックアップテーブルにローディングすることができる。
【００２８】
一実施形態によれば、前記ルックアップテーブルを更新するステップは、前記更新信号に応答して前記効率カーブをスケーリングすることによって、前記ルックアップテーブルを更新することができる。
【００２９】
一実施形態によれば、前記効率カーブは前記更新信号に応答して前記効率転換周期が２倍になるようにスケーリングすることができる。
【発明の効果】
【００３０】
本発明の実施形態に係る有機発光表示装置は、画素の累積駆動時間に基づいて効率転換領域及びルックアップテーブルを更新することによって、画素の初期劣化に対する正確な補償を遂行し、全体的な寿命保証時間を十分に確保することができる。
【００３１】
本発明の実施形態に係る有機発光表示装置の駆動方法は、累積駆動時間が増加するほど効率転換周期が長くなるように効率転換領域及びルックアップテーブルを更新することによって、初期残像の発生を防止し、長時間の間高い表示品質を維持することができる。
【００３２】
但し、本発明の効果は前記の効果に限定されるものではなく、本発明の思想及び領域から逸脱しない範囲で多様に拡張できる。
【図面の簡単な説明】
【００３３】
【図１】本発明の実施形態に係る有機発光表示装置を示すブロック図である。
【図２】図１の有機発光表示装置に含まれた制御部の一例を示すブロック図である。
【図３】図１の有機発光表示装置に含まれた寿命レジスタの一例を示す図である。
【図４】図１の有機発光表示装置のルックアップテーブルに格納された効率カーブの一例を示すグラフである。
【図５】寿命レジスタにおける効率転換領域及び補償時間領域が設定された一例を示す図である。
【図６】図５の寿命レジスタに相応する効率カーブの一例を示すグラフである。
【図７】図５の寿命レジスタに含まれた監視ビットを用いて更新信号を発生させる動作を説明するための図である。
【図８】図５の寿命レジスタの効率転換領域及び補償時間領域が更新された一例を示す図である。
【図９】図８の寿命レジスタに相応する効率カーブの一例を示すグラフである。
【図１０】図８の寿命レジスタに含まれた監視ビットを用いて更新信号を発生させる動作を説明するための図である。
【図１１】図８の寿命レジスタの効率転換領域及び補償時間領域が更新された一例を示す図である。
【図１２】図１１の寿命レジスタに相応する効率カーブの一例を示すグラフである。
【図１３】図１の有機発光表示装置に含まれた制御部の他の例を示すブロック図である。
【図１４】本発明の実施形態に係る有機発光表示装置の駆動方法を示すフローチャートである。
【発明を実施するための形態】
【００３４】
以下、添付した図面を参照して本発明の実施形態をより詳細に説明する。図面上の同一な構成要素に対しては同一または類似の参照符号を使用する。
【００３５】
図１は、本発明の実施形態に係る有機発光表示装置を示すブロック図である。
【００３６】
図１を参照すると、有機発光表示装置１０００は、表示パネル１００、スキャン駆動部２００、データ駆動部３００、制御部４００、寿命レジスタ４８０、ルックアップテーブル（look-up table）４９０、及び不揮発性メモリ装置５００を含むことができる。
【００３７】
表示パネル１００は、映像を表示する複数の画素（ＰＸ）を含むことができる。表示パネル１００は、複数のスキャンライン（ＳＬ１からＳＬｎ）を通じてスキャン駆動部２００と連結できる。表示パネル１００は、複数のデータライン（ＤＬ１からＤＬｎ）を通じてデータ駆動部３００と連結できる。表示パネル１００は、スキャンライン（ＳＬ１からＳＬｎ）及びデータライン（ＤＬ１からＤＬｎ）の交差部毎に位置するｎ＊ｍ個の画素（ＰＸ）を含むことができる。
【００３８】
スキャン駆動部２００は、複数のスキャンライン（ＳＬ１からＳＬｎ）を通じて複数の画素（ＰＸ）の各々にスキャン信号を供給することができる。
【００３９】
データ駆動部３００は、複数のデータライン（ＤＬ１からＤＬｎ）を通じて複数の画素（ＰＸ）の各々にデータ信号を供給することができる。
【００４０】
寿命レジスタ４８０には表示パネル１００が駆動される間、画素（ＰＸ）の劣化データが累積されて格納できる。即ち、寿命レジスタ４８０に格納された劣化データと入力映像データ（ＤＡＴＡ）に含まれたフレームデータを合算して格納することによって、寿命レジスタ４８０は画素（ＰＸ）の劣化データを累積して格納することができる。一実施形態において、劣化データは寿命レジスタ４８０に画素単位で格納できる。画素（ＰＸ）のそれぞれの劣化に対する正確な補償のために、寿命レジスタ４８０には画素単位で劣化データを累積して格納することができる。他の実施形態において、劣化データは寿命レジスタ４８０に画素ブロック単位で格納できる。格納される劣化データの容量が大きくなるほど製造費用及び消費電力が増加するので、劣化データは画素ブロック単位で寿命レジスタ４８０に格納できる。例えば、画素（ＰＸ）は４＊４サイズの正方形の１６個の画素（ＰＸ）からなる画素ブロックを形成し、劣化データは画素ブロックに相応する入力映像データ（ＤＡＴＡ）の平均値を用いて格納できる。寿命レジスタ４８０のサイズは有機発光表示装置１０００の全体寿命保証時間、及びメモリ接近時の帯域幅（bandwidth）を考慮して決定できる。
【００４１】
また、寿命レジスタ４８０はルックアップテーブル４９０から画素（ＰＸ）の効率値を導出するための効率転換領域を含むことができる。寿命レジスタ４８０の構造については図３を参照して詳細に説明する。
【００４２】
ルックアップテーブル４９０には画素（ＰＸ）の劣化補償量を決定するために画素（ＰＸ）の累積駆動時間と効率値との関係を示す効率カーブが格納できる。ここで、効率カーブは、累積駆動時間によって画素（ＰＸ）の輝度低下を示す曲線を意味する。ルックアップテーブル４９０は限定されたメモリ容量を有するため、一定の間隔（以下、効率転換周期）で累積駆動時間に従う効率値を格納することができる。したがって、ルックアップテーブル４９０に格納されていない効率値、は一定時間の間の効率変化を同一に計算する補間法（interpolation method）により導出することができる。
ルックアップテーブル４９０は、電源が供給されない状態ではデータが保存できないが、データを相対的に速い速度で処理することができる揮発性メモリ装置でありうる。例えば、ルックアップテーブル４９０はＤＲＡＭ（Dynamic Random Access Memory）、ＳＲＡＭ（Static Random Access Memory）、モバイルＤＲＡＭなどを含むことができる。
【００４３】
ルックアップテーブル４９０は初期劣化に対する正確な補償を遂行し、全体的な寿命保証時間を十分に確保するために寿命レジスタ４８０に相応して制御部４００により更新できる。ルックアップテーブル４９０に格納された効率カーブに対しては図４を参照して詳細に説明する。
【００４４】
制御部４００は、累積された劣化データから導出された累積駆動時間に基づいて効率転換領域及びルックアップテーブル４９０を更新することができる。ここで、累積駆動時間は、累積された劣化データを時間的な概念に変換したものである。累積駆動時間は、累積された劣化データを、最大輝度を示すフレームデータで割って計算できる。即ち、累積駆動時間の間最大輝度を示すフレームデータが持続的に入力された時、累積された劣化データを寿命レジスタ４８０に格納できる。制御部４００は、効率転換周期を変更するために寿命レジスタ４８０を監視することによって、効率転換領域及びルックアップテーブル４９０を更新するか否かを決定することができる。一実施形態において、制御部４００は、寿命レジスタ４８０に含まれた監視ビット（bit）の値が変更される場合、効率転換領域及びルックアップテーブル４９０を更新することができる。制御部４００は、画素（ＰＸ）の累積駆動時間が増加するほど効率転換周期が長くなるように補償レジスタの効率転換領域及びルックアップテーブル４９０を更新することができる。累積駆動時間の少ない領域では画素（ＰＸ）の効率低下が比較的大きいので、ルックアップテーブル４９０から補間法により導出された効率カーブは誤差が大きく発生することができる。したがって、累積駆動時間の少ない領域では、補間法による正確な補償を遂行するために効率転換周期が相対的に短くなるように効率転換領域及びルックアップテーブル４９０を更新することができる。一方、累積駆動時間が相対的に多い領域では、画素（ＰＸ）の効率低下が比較的小さいので、全体的な寿命保証時間を十分に確保するために効率転換周期が相対的に長く設定されるように、効率転換領域及びルックアップテーブル４９０を更新することができる。
【００４５】
制御部４００は、寿命レジスタ４８０に含まれた効率転換領域及びルックアップテーブル４９０を用いて入力映像データ（ＤＡＴＡ）を出力映像データ（ＤＡＴＡ））に変換することができる。例えば、制御部４００は効率転換領域の値をルックアップテーブル４９０のインデックス（index）値に用いて効率値を導出することができる。制御部４００は、効率値を用いて画素（ＰＸ）に対する補償加重値を導出することができる。制御部４００は、入力映像データ（ＤＡＴＡ）と補償加重値とを掛けて出力映像データ（ＤＡＴＡ力映を生成することができる。
【００４６】
また、制御部４００は出力映像データ（ＤＡＴＡ’）に相応する制御信号（ＣＴＬ１、ＣＴＬ２）をスキャン駆動部２００及びデータ駆動部３００に供給することによって、映像を表示するためにスキャン駆動部２００及びデータ駆動部３００を制御することができる。
【００４７】
制御部４００に対しては図２及び図１３を参照して詳細に説明する。
【００４８】
不揮発性メモリ装置５００は、電源が供給されない状態で劣化データ及び効率カーブを格納することができる。不揮発性メモリ装置５００は、制御部４００の外部に位置できる。不揮発性メモリ装置５００は、価格が比較的低廉で、大容量を格納することができる特徴がある。例えば、不揮発性メモリ装置５００は、フラッシュメモリ（Flash Memory）、ＥＰＲＯＭ（Erasable Programmable Read-Only Memory）、ＥＥＰＲＯＭ（Electrically Erasable Programmable Read-Only Memory）、ＰＲＡＭ（Phase Change Random Access Memory）、ＲＲＡＭ（登録商標）（Resistance Random Access Memory）、ＮＦＧＭ（Nano Floating Gate Memory）、ＰｏＲＡＭ（Polymer Random Access Memory）、ＭＲＡＭ（Magnetic Random Access Memory）、ＦＲＡＭ（登録商標）（Ferro electric Random Access Memory）などを含むことができる。
【００４９】
不揮発性メモリ装置５００は、電源が供給されない状態でもデータを保存することができるので、劣化データを安定的に格納することができる。一実施形態において、不揮発性メモリ装置５００は、画素（ＰＸ）の劣化データを時間が経過するにつれて累積して格納することができる。時間が経過するにつれて、累積して格納された劣化データは、損傷された劣化データを復旧するか、または表示パネル１００の性能向上のための用途に使用できる。一実施形態において、寿命レジスタ４８０に格納された劣化データは、周期的に不揮発性メモリ装置５００に格納できる。他の実施形態において、寿命レジスタ４８０に格納された劣化データは、予め指定された時間に不揮発性メモリ装置５００に格納できる。
【００５０】
また、不揮発性メモリ装置５００は大容量のデータを格納することができるので、多様な効率カーブを格納し、寿命レジスタ４８０に相応する効率カーブをルックアップテーブル４９０に提供することができる。
【００５１】
その他にも、有機発光表示装置１０００は高電源電圧及び低電源電圧を表示パネル１００に供給する給電部、エミッション信号を複数の画素（ＰＸ）の各々に供給するエミッション駆動部などをさらに含むことができる。
【００５２】
図１では、寿命レジスタ４８０及びルックアップテーブル４９０が制御部４００の外部に位置することと図示したが、寿命レジスタ４８０及びルックアップテーブル４９０は制御部４００に含まれることができる。
【００５３】
このように、有機発光表示装置１０００は画素（ＰＸ）の累積駆動時間が増加するほど効率転換周期が長くなるように補償レジスタの効率転換領域及びルックアップテーブル４９０を更新することによって、初期劣化に対する正確な補償を遂行しながらも全体的な寿命保証時間を十分に確保することができる。
【００５４】
図２は、図１の有機発光表示装置に含まれた制御部の一例を示すブロック図である。
【００５５】
図２を参照すると、制御部４００Ａは、劣化データ制御部４１０、更新信号生成部４２０、補償基準更新部４３０、効率値導出部４４０、及び劣化補償部４５０を含むことができる。
【００５６】
劣化データ制御部４１０は、入力映像データ（ＤＡＴＡ）に基づいて、寿命レジスタ４８０に劣化データを累積して格納することができる。即ち、劣化データ制御部４１０は入力映像データ（ＤＡＴＡ）に含まれたフレームデータを寿命レジスタ４８０に合算して格納することができる。劣化データ制御部４１０は、入力映像データ（ＤＡＴＡ）を画素単位または画素グループ単位で寿命レジスタ４８０に累積して格納することができる。
【００５７】
また、劣化データ制御部４１０は、電源供給が中断される場合にも劣化データを維持するか、または時間経過に従う劣化データを格納するために寿命レジスタ４８０に格納された劣化データを、不揮発性メモリ装置５００Ａの劣化データ格納部５１０に格納することができる。一実施形態において、劣化データ制御部４１０は周期的に寿命レジスタ４８０に格納された劣化データを不揮発性メモリ装置５００Ａの劣化データ格納部５１０に格納することができる。他の実施形態において、劣化データ制御部４１０は予め指定された時間に寿命レジスタ４８０に格納された劣化データを不揮発性メモリ装置５００Ａの劣化データ格納部５１０に格納することができる。例えば、劣化データ制御部４１０は表示パネルの駆動が終了する時点で寿命レジスタ４８０に格納された劣化データを劣化データ格納部５１０に格納することができる。
【００５８】
その他にも、劣化データ制御部４１０は、表示パネルの初期化時、不揮発性メモリ装置５００Ａに格納された劣化データを用いて寿命レジスタ４８０を設定するか、または不揮発性メモリ装置５００Ａの効率カーブ格納部５２０Ａに格納された効率カーブを用いてルックアップテーブル４９０を設定することができる。
【００５９】
更新信号生成部４２０は、累積駆動時間に基づいて更新信号を生成することができる。更新信号生成部４２０は、寿命レジスタ４８０を監視することによって、効率転換領域及びルックアップテーブル４９０が更新する必要があるか否かを確認することができる。一実施形態において、更新信号生成部４２０は、寿命レジスタ４８０に含まれた監視ビットの値が変更される場合、更新信号を生成することができる。例えば、更新信号生成部４２０は１ビットで構成された監視ビットが０から１に変更される場合、累積駆動時間が予め指定された限界値を超過したことを確認することができる。したがって、監視ビットの値が変更される場合、更新信号生成部４２０は更新信号を生成し、累積駆動時間を次の限界値と比較するために監視ビットを１ビット移動させることができる。
【００６０】
補償基準更新部４３０は、更新信号に応答して累積駆動時間が増加するほど効率転換周期が長くなるように、寿命レジスタ４８０に含まれた効率転換領域及びルックアップテーブル４９０を更新することができる。累積駆動時間の少ない領域は、累積駆動時間の多い領域に比べて画素の効率低下が比較的大きく発生する傾向がある。したがって、累積駆動時間が相対的に少ない領域で、補償基準更新部４３０は、補間法を用いて初期劣化に対する正確な補償を遂行するため、に効率転換周期が相対的に短く設定されるように効率転換領域及びルックアップテーブル４９０を更新することができる。一方、累積駆動時間が相対的に多い領域で、補償基準更新部４３０は全体的な寿命保証時間を十分に確保するために効率転換周期が相対的に長く設定されるように効率転換領域及びルックアップテーブル４９０を更新することができる。
【００６１】
一実施形態において、補償基準更新部４３０は更新信号に応答して効率転換領域を１ビット移動させることができる。即ち、補償基準更新部４３０は累積駆動時間が増加した領域に移動されることを知らせる更新信号に応答して効率転換周期が２倍増加するように効率転換領域及びルックアップテーブル４９０を更新することができる。
【００６２】
一実施形態において、補償基準更新部４３０、は更新信号に応答して不揮発性メモリ装置５００Ａの効率カーブ格納部５２０Ａから効率転換領域に相応する効率カーブをルックアップテーブル４９０にローディングすることができる。効率転換領域に相応する複数の効率カーブが予め生成され、効率カーブが効率カーブ格納部５２０Ａに格納できる。補償基準更新部４３０は、更新信号に応答して効率転換領域に相応する効率カーブを効率カーブ格納部５２０Ａからルックアップテーブル４９０にローディングすることができる。例えば、補償基準更新部４３０は、効率転換周期が２倍増加した効率カーブをルックアップテーブル４９０にローディングすることができる。
【００６３】
一実施形態において、補償基準更新部４３０はＭＣＵ（micro control unit）でありうる。別のプロセッサを備えなくてＭＣＵを用いて効率転換領域及びルックアップテーブル４９０を更新することによって、有機発光表示装置の製造費用を低減することができる。
【００６４】
効率値導出部４４０は、寿命レジスタ４８０に含まれた効率転換領域及びルックアップテーブル４９０を用いて画素の効率値を導出することができる。画素の効率値は劣化現象が発生しない初期輝度値に対する輝度値の割合を示す。一実施形態において、効率値導出部４４０は効率転換領域の値をルックアップテーブル４９０のインデックス値に用いてルックアップテーブル４９０から効率値を導出することができる。例えば、効率値導出部４４０は第１画素に相応する寿命レジスタ４８０の効率転換領域をインデックス値に用いてルックアップテーブル４９０から第１画素に対する効率値を導出することができる。
【００６５】
劣化補償部４５０は、効率値を用いて入力映像データ（ＤＡＴＡ）を出力映像データ（ＤＡＴＡ）に変換することができる。劣化補償部４５０は、効率値に反比例する補償加重値を計算することができる。劣化補償部４５０は、入力映像データ（ＤＡＴＡ）と補償加重値とを掛けて出力映像データ（ＤＡＴＡ力映を生成することができる。したがって、劣化補償部４５０は画素の劣化による効率低下を補償した出力映像データ（ＤＡＴＡ）を生成して出力することができる。
【００６６】
その他にも、制御部４００Ａは出力映像データ（ＤＡＴＡ、制に相応する制御信号を生成して駆動部に転送するタイミング制御部をさらに含むことができる。
【００６７】
図３は、図１の有機発光表示装置に含まれた寿命レジスタの一例を示す図である。
【００６８】
図３を参照すると、寿命レジスタはフレームデータ累積領域（ＦＲ）及び補償時間領域（ＡＲ）を含むことができる。入力映像データに含まれたフレームデータは劣化データとして寿命レジスタに累積して格納できる。
【００６９】
フレームデータ累積領域（ＦＲ）は、入力映像データに含まれた画素または画素ブロックのフレームデータを格納する領域である。即ち、フレームデータ累積領域（ＦＲ）は入力映像データと合算演算される領域であって、フレームデータの最大値に相応するサイズを有することができる。例えば、フレームデータの最大値が２５５の場合、フレームデータ累積領域（ＦＲ）のサイズは８ビットでありうる。
【００７０】
補償時間領域（ＡＲ）のサイズは、最大輝度を示すフレームデータが持続的に入力された時、劣化データを累積して格納することができる時間を意味する。即ち、補償時間領域（ＡＲ）のサイズは、劣化データを用いて画素の劣化を補償することができる期間である寿命保証時間を意味する。したがって、累積駆動時間が寿命保証時間になる時点まで劣化データが累積して格納できる。
【００７１】
補償時間領域（ＡＲ）は、効率転換領域（ＴＲ）を含むことができる。効率転換領域（ＴＲ）は、ルックアップテーブル４９０から画素の効率値を導出するための領域を意味する。効率転換領域（ＴＲ）に格納された値は、ルックアップテーブル４９０のインデックス値に使われて、ルックアップテーブル４９０から画素の効率値を導出することができる。効率転換領域（ＴＲ）は、効率転換周期を変更するために移動できる。効率転換領域（ＴＲ）は、累積駆動時間が増加するほど効率転換周期が長くなるように移動できる。また、効率転換周期が長くなるように、補償時間領域（ＡＲ）を調整できる。
【００７２】
図４は、図１の有機発光表示装置のルックアップテーブルに格納された効率カーブの一例を示すグラフである。
【００７３】
図４を参照すると、ルックアップテーブルに格納された効率カーブは、累積駆動時間が増加するにつれて、画素の効率低下が比較的減少することができる。即ち、画素の輝度は累積駆動時間に比例して均等な割合で減少するものでなく、初期劣化により輝度が格段に低下できる。
【００７４】
具体的に、効率カーブの傾きの絶対値は累積駆動時間が増加するにつれて小さくなることがある。例えば、累積駆動時間が０時間から１２５０時間に増加するにつれて、画素の効率はＬ０からＬ１に減少できる。累積駆動時間が１２５０時間から２５００時間に増加するにつれて、画素の効率はＬ１からＬ２に減少できる。また、累積駆動時間が２５００時間から５０００時間に増加するにつれて、画素の効率はＬ２からＬ３に減少できる。この際、Ｌ０とＬ１との差（Ｌ０−Ｌ１）はＬ１とＬ２との差（Ｌ１−Ｌ２）より大きいことがある。また、Ｌ１とＬ２との差（Ｌ１−Ｌ２）はＬ２とＬ３との差（Ｌ２−Ｌ３）より大きいことがある。
【００７５】
ルックアップテーブルに格納された効率カーブを一律に適用する場合、初期残像が発生するか、または寿命保証時間が短縮される問題が発生することがある。例えば、効率転換周期が比較的長い効率カーブを使用する場合、補間法方式の劣化補償は初期劣化に対して十分に補償できないので残像が発生することがある。一方、効率転換周期が比較的短い効率カーブを使用する場合、ルックアップテーブルのメモリ容量の限界があるので、寿命保証時間を十分に確保し難いという問題がある。したがって、累積駆動時間が増加するほど効率転換周期が長くなるようにルックアップテーブルに格納される効率カーブを更新できる。例えば、累積駆動時間が０時間乃至１２５０時間の第１領域（Ｐ１）では効率転換周期が比較的短い効率カーブが使用され、累積駆動時間が２５００時間乃至５０００時間の第３領域（Ｐ３）では効率転換周期が比較的長い効率カーブが使用できる。
【００７６】
図５は、図３の寿命レジスタにおける効率転換領域及び補償時間領域が設定された一例を示す図である。図６は、図５の寿命レジスタに相応してルックアップテーブルが設定された一例を示す図である。
【００７７】
図５から図６を参照すると、画素の累積駆動時間の少ない領域（例えば、図４の第１領域（Ｐ１）のように累積駆動時間が０時間乃至１２５０時間の領域）で効率転換周期が比較的短い効率カーブを使用することによって、初期劣化に対する正確な補償を遂行することができる。
【００７８】
寿命レジスタの効率転換領域（ＴＲ１）は、効率転換周期が比較的短くなるように設定され、ルックアップテーブルには効率転換領域（ＴＲ１）に相応して効率転換周期が比較的短い効率カーブが格納できる。例えば、寿命レジスタは、効率転換周期が１．２５時間になるように効率転換領域（ＴＲ１）が設定され、寿命保証時間が１２５０時間になるように補償時間領域（ＡＲ１）が設定できる。ルックアップテーブルは、効率転換領域（ＴＲ１）に相応して効率転換周期が１．２５時間であり、寿命保証時間が１２５０時間の効率カーブが格納できる。したがって、効率転換周期が比較的短い効率カーブから効率値が導出されるので、補間法を使用しても劣化補償が正確に遂行できる。
【００７９】
図７は、図５の寿命レジスタに含まれた監視ビットを用いて更新信号が発生する一例を示す図である。
【００８０】
図７を参照すると、更新信号生成部は寿命レジスタに含まれた監視ビット（ＭＢ）を監視することによって、効率転換領域及びルックアップテーブルが更新される必要があるか否かを確認することができる。一実施形態において、更新信号生成部は、監視ビット（ＭＢ）の値が変更される場合、更新信号を生成することができる。一実施形態において、監視ビット（ＭＢ）は１ビットに設定され、監視ビット（ＭＢ）の値が変更される場合、監視ビット（ＭＢ）は１ビット移動できる。例えば、監視ビット（ＭＢ）は累積駆動時間が１２５０時間を超過することを確認できるように設定できる。監視ビット（ＭＢ）が０から１に変更される場合、更新信号生成部は累積駆動時間が予め指定された限界値を超過したことを確認し、更新信号を生成することができる。また、更新信号が生成された後、累積駆動時間が増加するにつれて、次の限界値と比較することによって、効率転換領域及びルックアップテーブルがまた更新できるように監視ビット（ＭＢ）は移動できる。
【００８１】
図８は、図５の寿命レジスタの効率転換領域及び補償時間領域が更新された一例を示す図である。図９は、図８の寿命レジスタに相応してルックアップテーブルが設定された一例を示す図である。図１０は、図８の寿命レジスタに含まれた監視ビットを用いて更新信号が発生する一例を示す図である。
【００８２】
図８から図１０を参照すると、画素の累積駆動時間が増加するにつれて、図５の寿命レジスタ及び図６のルックアップテーブルは効率転換周期が長くなるように更新できる。
【００８３】
図８及び図９に示すように、画素の累積駆動時間が増加して、効率転換領域（ＴＲ２）及び補償時間領域（ＡＲ２）が更新される場合、効率転換周期が長くなることがある。例えば、図４の第１領域（Ｐ１）から第２領域（Ｐ２）に累積駆動時間が増加する場合、第２領域（Ｐ２）では第１領域（Ｐ１）に比べて効率転換周期が長くなった効率カーブを使用することができる。
【００８４】
寿命レジスタの効率転換領域（ＴＲ２）は、効率転換周期が長くなるように更新できる。また、ルックアップテーブルには効率転換領域（ＴＲ２）に相応して効率転換周期が長くなった効率カーブが格納できる。例えば、寿命レジスタは効率転換周期が２．５時間になるように効率転換領域（ＴＲ２）が設定され、寿命保証時間が２５００時間になるように補償時間領域（ＡＲ２）が設定できる。ルックアップテーブルは、効率転換領域（ＴＲ２）に相応して効率転換周期が２．５時間であり、寿命保証時間が２５００時間の効率カーブが格納できる。
【００８５】
図１０に示すように、更新信号生成部は寿命レジスタに含まれた監視ビット（ＭＢ’）を監視することによって、効率転換領域及びルックアップテーブルが更新される必要があるか否かを確認することができる。例えば、監視ビット（ＭＢ’）は累積駆動時間が２５００時間を超過することを確認できるように設定できる。監視ビット（ＭＢ’）が０から１に変更される場合、更新信号生成部は累積駆動時間が予め指定された限界値を超過したことを確認し、更新信号を生成することができる。また、更新信号が生成された後、累積駆動時間が増加するにつれて、次の限界値と比較することによって、効率転換領域及びルックアップテーブルがまた更新できるように監視ビット（ＭＢ’）は移動できる。
【００８６】
図１１は、図８の寿命レジスタの効率転換領域及び補償時間領域が更新された一例を示す図である。図１２は、図１１の寿命レジスタに相応してルックアップテーブルが設定された一例を示す図である。
【００８７】
図１１及び１２を参照すると、画素の累積駆動時間が増加して、効率転換領域（ＴＲ３）及び補償時間領域（ＡＲ３）が更新される場合、効率転換周期が長くなることがある。例えば、図４の第２領域（Ｐ２）から第３領域（Ｐ３）で累積駆動時間が増加する場合、第３領域（Ｐ３）では第２領域（Ｐ２）に比べて、効率転換周期が長くなった効率カーブを使用することができる。したがって、画素の累積駆動時間が多い領域で効率転換周期が比較的長い効率カーブを使用することによって、全体的な寿命保証時間を十分に確保することができる。
【００８８】
寿命レジスタの効率転換領域（ＴＲ３）は、効率転換周期が長くなるように更新できる。また、ルックアップテーブルには効率転換領域（ＴＲ３）に相応して効率転換周期が長くなった効率カーブが格納できる。例えば、寿命レジスタは効率転換周期が５時間になるように効率転換領域（ＴＲ３）が設定され、寿命保証時間が５０００時間になるように補償時間領域（ＡＲ３）が設定できる。ルックアップテーブルは、効率転換領域（ＴＲ３）に相応して効率転換周期が５時間であり、寿命保証時間が５０００時間の効率カーブが格納できる。したがって、効率転換周期が比較的長い効率カーブを用いて効率値を導出するので、補間法を使用して限定されたリソースを用いて寿命保証時間を十分に確保することができる。
【００８９】
たとえ、図５から図１２では累積駆動時間が増加するにつれて効率転換周期が２倍になるように寿命レジスタの効率転換領域（ＴＲ１からＴＲ３）及びルックアップテーブルを更新することと図示したが、寿命レジスタの効率転換領域（ＴＲ１からＴＲ３）及びルックアップテーブルの更新は効率転換周期が増加する多様な方法により更新できる。また、図７及び図１０は監視ビットを１ビットに設定したことを図示したが、監視ビットは２ビット以上に設定されて多様な限界値で寿命レジスタ及びルックアップテーブルを更新することができる。
【００９０】
図１３は、図１の有機発光表示装置に含まれた制御部の他の例を示すブロック図である。
【００９１】
図１３を参照すると、制御部４００Ｂは、劣化データ制御部４１０、更新信号生成部４２０、補償基準更新部４３０、効率カーブ導出部４４０、劣化補償部４５０、及び効率カーブ調整部４６０を含むことができる。但し、本実施形態に係る制御部４００Ｂは、効率カーブ調整部４６０が追加されたことを除外すれば、図２の制御部と実質的に同一であるので、同一または類似の構成要素に対しては同一な参照番号を使用し、重複する説明は省略する。
【００９２】
劣化データ制御部４１０は、入力映像データ（ＤＡＴＡ）に基づいて寿命レジスタ４８０に劣化データを累積して格納することができる。また、劣化データ制御部４１０は、電源供給が中断される場合にも劣化データを維持するか、または時間経過に従う劣化データを格納するために寿命レジスタ４８０に格納された劣化データを不揮発性メモリ装置５００Ｂの劣化データ格納部５１０に格納することができる。
【００９３】
更新信号生成部４２０は、累積駆動時間に基づいて更新信号を生成することができる。更新信号生成部４２０は、寿命レジスタ４８０を監視することによって、効率転換領域及びルックアップテーブル４９０を更新する必要があるか否かを確認することができる。一実施形態において、更新信号生成部４２０は寿命レジスタ４８０に含まれた監視ビットの値が変更される場合、更新信号を生成することができる。
【００９４】
効率カーブ調整部４６０は、効率転換領域が更新される場合、効率転換領域に相応して効率カーブをスケーリング（scaling）することができる。一実施形態において、効率カーブ調整部４６０は更新信号に応答して効率転換周期が２倍になるように効率カーブをスケーリングすることができる。例えば、効率カーブ調整部４６０は効率カーブ格納部５２０Ｂに格納された効率カーブを用いて効率カーブをスケーリングすることによって、効率転換周期を２倍長くなるように設定することができる。
【００９５】
補償基準更新部４３０は、更新信号に応答して累積駆動時間が増加するほど効率転換周期が長くなるように寿命レジスタ４８０に含まれた効率転換領域及びルックアップテーブル４９０を更新することができる。補償基準更新部４３０は、更新信号に応答して効率カーブ調整部４６０でスケーリングされた効率カーブでルックアップテーブル４９０を更新することができる。図２のように、不揮発性メモリ装置に予め生成された効率カーブを格納する場合、不揮発性メモリ装置のサイズが大きくなることがある。したがって、補償基準更新部４３０は効率カーブ調整部４６０でスケーリングされた効率カーブでルックアップテーブル４９０を更新することによって、不揮発性メモリ装置５００Ｂのメモリ容量を減らすことができる。
【００９６】
効率カーブ導出部４４０は、寿命レジスタ４８０に含まれた効率転換領域及びルックアップテーブル４９０を用いて画素の効率値を導出することができる。
【００９７】
劣化補償部４５０は、効率値を用いて入力映像データ（ＤＡＴＡ）を出力映像データ（ＤＡＴＡ）に変換することができる。
【００９８】
その他にも、制御部４００Ｂは出力映像データ（ＤＡＴＡ）、に相応する制御信号を生成して駆動部に転送するタイミング制御部をさらに含むことができる。
【００９９】
図１４は、本発明の実施形態に係る有機発光表示装置の駆動方法を示すフローチャートである。
【０１００】
図１４を参照すると、有機発光表示装置の駆動方法は、累積駆動時間が増加するほど効率転換周期が長くなるように効率転換領域及びルックアップテーブルを更新することによって、初期残像の発生を防止し、寿命保証時間を十分に確保し、長時間の間高い表示品質を維持することができる。
【０１０１】
画素の劣化データは、入力映像データに基づいて寿命レジスタに累積して格納（Ｓ１１０）できる。入力映像データに含まれたフレームデータは劣化データとして画素単位または画素グループ単位で寿命レジスタに累積して格納できる。
【０１０２】
寿命レジスタに累積された劣化データから画素の累積駆動時間が導出され、累積駆動時間に基づいて更新信号が生成（Ｓ１２０）できる。寿命レジスタを監視し、効率転換領域及びルックアップテーブルを更新する必要がある場合、更新信号が生成できる。一実施形態において、寿命レジスタに含まれた監視ビットの値が変更される場合、更新信号が生成できる。例えば、１ビットで構成された監視ビットが０から１に変更される場合、累積駆動時間が予め指定された限界値を超過したことを確認することができる。したがって、監視ビットの値が変更される場合、更新信号が生成され、次の限界値と比較するために監視ビットは１ビット移動できる。
【０１０３】
累積駆動時間が増加するほど効率転換周期が長くなるように、更新信号に応答して効率転換領域及びルックアップテーブルを更新（Ｓ１３０）できる。累積駆動時間の少ない領域は累積駆動時間の多い領域に比べて画素の効率低下が比較的大きく発生する傾向がある。したがって、累積駆動時間が相対的に少ない領域で、初期劣化に対する正確な補償を遂行するために、効率転換周期が相対的に短く設定されるように効率転換領域及びルックアップテーブルを更新できる。一方、累積駆動時間が相対的に多い領域で、全体的な寿命保証時間を十分に確保するために、効率転換周期が相対的に長く設定されるように効率転換領域及びルックアップテーブルを更新できる。
【０１０４】
一実施形態において、更新信号に応答して効率転換領域は１ビット移動できる。即ち、累積駆動時間が増加した領域に移動されることを知らせる更新信号に応答して効率転換周期が２倍増加するように効率転換領域及びルックアップテーブルを更新できる。
【０１０５】
一実施形態において、更新信号に応答して不揮発性メモリ装置から効率転換領域に相応する効率カーブがルックアップテーブルにローディングできる。効率転換領域に相応する複数の効率カーブが予め生成され、効率カーブが不揮発性メモリ装置に格納できる。更新信号に応答して効率転換領域に相応する効率カーブが不揮発性メモリ装置からルックアップテーブルにローディングできる。例えば、効率転換周期が２倍増加した効率カーブが不揮発性メモリ装置からルックアップテーブル４９０にローディングできる。
【０１０６】
他の実施形態において、更新信号に応答して効率カーブをスケーリングすることによって、ルックアップテーブルが更新できる。例えば、効率カーブは更新信号に応答して効率転換周期が２倍になるようにスケーリングできる。したがって、スケーリングされた効率カーブでルックアップテーブルを更新することによって、不揮発性メモリ装置のメモリ容量を減らすことができる。
【０１０７】
効率転換領域の値をルックアップテーブルのインデックス値に用いて、ルックアップテーブルから効率値が導出（Ｓ１４０）できる。例えば、第１画素に相応する寿命レジスタの効率転換領域をインデックス値に用いてルックアップテーブルから第１画素に対する効率値が導出できる。
【０１０８】
効率値を用いて入力映像データが出力映像データに変換（Ｓ１５０）できる。ルックアップテーブルから導出された効率値を用いて画素に対する補償加重値が導出され、入力映像データと補償加重値とを掛けて出力映像データが生成できる。したがって、入力映像データは画素の劣化による効率低下を補償して出力映像データに変換できる。
【０１０９】
出力映像データを用いて映像が表示（Ｓ１６０）できる。有機発光表示装置は、画素の劣化に対して補償値が適用された出力映像データを用いて映像を表示するので、画面残像を防止し、長時間の間高い表示品質を維持することができる。
【０１１０】
以上、本発明の実施形態に係る有機発光表示装置及び有機発光表示装置の駆動方法について図面を参照して説明したが、前記の説明は例示的なものであって、本発明の技術的思想を逸脱しない範囲で、該当技術分野で通常の知識を有する者により修正及び変更できる。例えば、前記では不揮発性メモリ装置は有機発光表示装置内に位置することと説明したが、不揮発性メモリ装置は有機発光表示装置の外部に位置することができる。
【産業上の利用可能性】
【０１１１】
本発明は有機発光表示装置を備えた電子機器に多様に適用できる。例えば、本発明はテレビ（ＴＶ）、携帯電話、スマートフォン、コンピュータ、ノートブック、スマートパッド、ＰＭＰ、ＰＤＡ、ＭＰ３プレーヤー、ディジタルカメラ、ビデオキャムコーダなどに適用できる。
【０１１２】
前記では本発明の実施形態を参照して説明したが、該当技術分野で通常の知識を有する者は以下の特許請求範囲に記載された本発明の思想及び領域から逸脱しない範囲内で本発明を多様に修正及び変更させることができることを理解することができる。
【符号の説明】
【０１１３】
１００    表示パネル
２００    スキャン駆動部
３００    データ駆動部
４００、４００Ａ、４００Ｂ    制御部
４１０    劣化データ制御部
４２０    更新信号生成部
４３０    補償基準更新部
４４０    効率値導出部
４５０    劣化補償部
４８０    寿命レジスタ
４９０    ルックアップテーブル
５００Ａ、５００Ｂ    不揮発性メモリ装置
５１０    劣化データ格納部
５２０Ａ、５２０Ｂ    効率カーブ格納部
【図１】
0006735564.tif 000002
【図２】
0006735564.tif 000003
【図３】
0006735564.tif 000004
【図４】
0006735564.tif 000005
【図５】
0006735564.tif 000006
【図６】
0006735564.tif 000007
【図７】
0006735564.tif 000008
【図８】
0006735564.tif 000009
【図９】
0006735564.tif 000010
【図１０】
0006735564.tif 000011
【図１１】
0006735564.tif 000012
【図１２】
0006735564.tif 000013
【図１３】
0006735564.tif 000014
【図１４】
0006735564.tif 000015